(57)【要約】【課題】野球またはソフトボールをするのに有用な、新規かつ改良されたスポーツ・グローブを提供すること。【解決手段】野球グローブが、掌部と、指部と、親指部と、指部と親指部との間のウェブ部とを含む。指部は、４つの指ストールを含む。最も外側の指ストールが、２本の指を収容するのに十分に広く、剛性のインサートが、最も外側の指ストールの中に挿入される。【選択図】図１
2011078759.tif 000002
【特許請求の範囲】
【請求項１】
親指部と、指部と、掌部と、インサートとを含み、
前記指部が、３つの内側の指ストール、および外側の指ストールを含み、
前記外側の指ストールが、使用者の２本の指を収めるようなサイズにされており、
前記指部および前記掌部が、４つの前記指ストールを分離する３つの溝によって画定された想像上の境界線によって分離されており、
前記インサートが、前記外側の指ストールの中に位置し、最も下のはと目を通して適所に固定され、
前記インサートの前記最も下のはと目が、前記指部に位置する、
スポーツ・グローブ。
【請求項２】
野球グローブまたはソフトボール・グローブである、請求項１に記載のスポーツ・グローブ。
【請求項３】
前記インサートの最も上のはと目が、グローブの上縁から最大でも５０ミリに位置する、請求項１に記載のスポーツ・グローブ。
【請求項４】
前記インサートが、全部で４つのはと目を有する、請求項１に記載のスポーツ・グローブ。
【請求項５】
前記インサートが、外側の指パッドの内部に位置する、請求項１に記載のスポーツ・グローブ。
【請求項６】
前記外側の指パッドが、グローブの上端から前記掌部の中に延在する、請求項５に記載のスポーツ・グローブ。
【請求項７】
前記インサートが、約７６ミリから約１７８ミリまでの長さを有する、請求項１に記載のスポーツ・グローブ。
【請求項８】
前記インサートが、約１０５ミリから約１１５ミリまでの長さを有する、請求項１に記載のスポーツ・グローブ。
【請求項９】
前記インサートが、約３０ミリから約３５ミリまでの最大幅を有する、請求項１に記載のスポーツ・グローブ。
【請求項１０】
グローブがグローブ長を有し、前記インサートがインサート長を有し、前記グローブ長対前記インサート長の比が２から３である、請求項１に記載のスポーツ・グローブ。
【請求項１１】
前記グローブ長対前記インサート長の比が、２．４から２．９である、請求項１０に記載のスポーツ・グローブ。
【請求項１２】
前記グローブ長対前記インサート長の比が、約２．６である、請求項１０に記載のスポーツ・グローブ。
【請求項１３】
前記インサートが、剛性の高分子材料から作られる、請求項１に記載のスポーツ・グローブ。
【請求項１４】
前記外側の指ストールの下に位置する指ストラップであって、基部および２つの紐部材を含む指ストラップをさらに含む、請求項１に記載のスポーツ・グローブ。
【請求項１５】
前記紐部材が、少なくとも１２０ミリの長さを有する、請求項１４に記載のスポーツ・グローブ。
【請求項１６】
前記紐部材が、９０ミリから約１６０ミリまでの長さを有する、請求項１４に記載のスポーツ・グローブ。
【請求項１７】
前記基部が、約５０ミリから約９０ミリまでの長さを有する、請求項１４に記載のスポーツ・グローブ。
【請求項１８】
前記基部が、約７０ミリの長さを有する、請求項１４に記載のスポーツ・グローブ。
【請求項１９】
前記指ストラップが、約１７０ミリから約２５０ミリまでの全長を有する、請求項１４に記載のスポーツ・グローブ。
【請求項２０】
剛性のインサートと、掌部と、指部と、親指部と、前記指部と前記親指部との間に位置するウェブ部とを含み、
前記指部が４つの指ストールを含み、最も外側の指ストールが２本の指を収容するのに十分に広く、
前記剛性のインサートが前記最も外側の指ストールの中に位置し、
前記剛性のインサートが前記掌部の中に延在しない、
スポーツ・グローブ。
【請求項２１】
剛性のインサートと、掌部と、指部と、親指部と、前記指部と前記親指部との間のウェブ部とを含み、
前記指部が４つの指ストールを含み、最も外側の指ストールが２本の指を収容するのに十分に広く、
前記剛性のインサートが前記最も外側の指ストールの内部に位置し、
前記剛性のインサートが前記掌部の中に延在する、
野球グローブ。
【請求項２２】
剛性の指インサートと、剛性の親指インサートと、掌部と、指部と、親指部と、前記指部と前記親指部との間のウェブ部とを含み、
前記指部が４つの指ストールを含み、最も外側の指ストールが２本の指を収容するようなサイズにされており、
前記剛性の指インサートが前記最も外側の指ストールの中に位置し、前記剛性の親指インサートが親指ストールの中に位置し、前記剛性の親指インサートが前記掌部の中に延在し、前記剛性の指インサートが前記掌部の中に延在しない、
野球グローブ。
【請求項２３】
剛性のインサートと、掌部と、指部と、親指部と、前記指部と前記親指部との間の補強部と、パディング層とを含み、
前記親指部が親指ストールを含み、
前記指部が４つの指ストールを含み、
最も外側の指ストールが２本の指を収容するのに十分に広く、
前記剛性のインサートが前記パディング層の内部に位置し、前記パディング層が前記最も外側の指ストールの内部に位置する、
スポーツ・グローブ。
【請求項２４】
フロント・シェルと、バック・シェルとを含み、
親指ストールおよび４つの指ストールが、前記フロント・シェルと前記バック・シェルとの間に形成され、
最も外側の指ストールが、２本の指を収容するようなサイズにされており、最も下のはと目を有する剛性のインサートが、前記最も外側の指ストールの内部に位置し、
前記４つの指ストールを分離する３つの溝が、前記４つの指ストールから掌部を分離する想像上の境界線を画定し、
前記インサートの前記最も下のはと目が、前記掌部に位置しない、
スポーツ・グローブ。
【発明の詳細な説明】
【技術分野】
【０００１】
本開示は、野球またはソフトボールをするのに有用な、新規かつ改良されたスポーツ・グローブに関する。いくつかの異なる態様および実施形態が説明される。そのようなグローブは、使用者の手を保護するのに役立つことができ、使用者にとっては、閉じることがより容易である。
【背景技術】
【０００２】
野球およびソフトボールは、米国および諸外国において人気のスポーツであり続けている。守備チームの競技者たちは、片手にグローブをはめて、自分たちの手を保護し、投球または打球の捕球を容易にする。とりわけ、異なるポジションのさまざまな競技特性が、最適なパフォーマンスのために異なるグローブの特性を必要とする。したがって、キャッチャー、一塁手、内野手、ピッチャー、および外野手といったさまざまなポジションに特化したグローブが存在する。
【０００３】
グローブが提供する保護のレベルは、外側を厚くする、または、さらに内側のパディング（ｐａｄｄｉｎｇ）を追加することによって向上させることができる。しかしながら、使用者の手と捕球面（ｃａｔｃｈｉｎｇ  ｓｕｒｆａｃｅ）との間に追加される材料は、使用者がグローブを閉じることをより困難にする。グローブを薄くすることにより捕球能力を高めることができるが、怪我の可能性もまた高くなることがある。
【０００４】
手を保護することを犠牲にせずに、野球用の球およびソフトボール用の球の確保をより簡単にするために、グローブを閉じること、または球をトラップすることを容易にする、スポーツ・グローブの必要性が依然ある。
【発明の概要】
【０００５】
本開示は、スポーツ・グローブに関する。本グローブは、野球およびソフトボールでの使用に特に適しており、とりわけ外野手のための野球グローブとして使用される場合に好適である。
【０００６】
いくつかの実施形態では、グローブの捕球面は、約９インチから約９．２５インチの外周で、規定サイズの野球用の球を捕える（ｅｎｓｎａｒｅ）ように構成される。他の実施形態では、グローブの捕球面は、約１２インチの外周で、規定サイズのソフトボール用の球を捕えるように構成される。
【０００７】
いくつかの実施形態では、親指部と、指部と、掌部（ｐａｌｍ  ｓｅｃｔｉｏｎ）とを含むスポーツ・グローブが開示される。指部は、３つの内側の指ストール（ｆｉｎｇｅｒ  ｓｔａｌｌ）、および外側の指ストールを含む。外側の指ストールは、使用者の２本の指を収めるようなサイズにされている。指部および掌部は、４つの指ストールを分離する３つの溝により画定された想像上の境界線によって分離されている。インサートが、外側の指ストールの中に位置し、最も下のはと目を通して適所に固定される。インサートの最も下のはと目（ｅｙｅｌｅｔ）は、指部に位置し、掌部には位置しない。
【０００８】
スポーツ・グローブは、野球グローブ、またはソフトボール・グローブであってよい。
【０００９】
インサートの最も上のはと目は、グローブの上縁から最大でも５０ミリに位置してよい。インサートは、合計で４つのはと目を有してよい。インサートは、外側の指パッドの内部に位置する。外側の指パッドは、グローブの上縁から掌部の中に延在してよい。
【００１０】
インサートは、約１０５ミリから約１１５ミリまでの長さを含む、約７６ミリから約１７８ミリまでの長さを有してよい。
【００１１】
インサートは、約３０ミリから約３５ミリまでの最大幅を有してよい。
【００１２】
いくつかの実施形態では、グローブはグローブ長を有し、インサートはインサート長を有し、グローブ長対インサート長の比は、２から３である。比は、さらに２．４から２．９、または約２．６であってよい。
【００１３】
スポーツ・グローブは、外側の指ストールの下に位置する指ストラップを含むことができ、指ストラップは、基部および２つの紐部材（ｌａｃｉｎｇ  ｍｅｍｂｅｒ）を含む。紐部材は、少なくとも１２０ミリの長さを有してよい。紐部材は、別の場合、９０ミリから約１６０ミリまでの長さを有してよい。基部は、約７０ミリの長さを含む、約５０ミリから約９０ミリまでの長さを有してよい。指ストラップは、約１７０ミリから約２５０ミリまでの全長を有してよい。
【００１４】
他の実施形態では、スポーツ・グローブが、剛性のインサートと、掌部と、指部と、親指部と、指部と親指部との間に位置するウェブ部（ｗｅｂ  ｓｅｃｔｉｏｎ）とを含み、指部は４つの指ストールを含み、最も外側の指ストールが２本の指を収容するのに十分に広く、剛性のインサートは最も外側の指ストールの中に位置し、剛性のインサートは掌部の中に延在しない。
【００１５】
他の実施形態では、野球グローブが、剛性のインサートと、掌部と、指部と、親指部と、指部と親指部との間のウェブ部とを含み、指部は４つの指ストールを含み、最も外側の指ストールが２本の指を収容するのに十分に広く、剛性のインサートは最も外側の指ストールの内部に位置し、剛性のインサートは掌部の中に延在する。
【００１６】
さらに他の実施形態では、野球グローブが、剛性の指インサートと、剛性の親指インサートと、掌部と、指部と、親指部と、指部と親指部との間のウェブ部とを含み、指部は４つの指ストールを含み、最も外側の指ストールが２本の指を収容するようなサイズにされており、剛性の指インサートは最も外側の指ストールの中に位置し、剛性の親指インサートは親指ストールの中に位置し、剛性の親指インサートは掌部の中に延在し、剛性の指インサートは掌部の中に延在しない。
【００１７】
また、剛性のインサートと、掌部と、指部と、親指部と、指部と親指部との間の補強部と、パディング層とを含むスポーツ・グローブが開示され、親指部は親指ストールを含み、指部は４つの指ストールを含み、最も外側の指ストールが２本の指を収容するのに十分に広く、剛性のインサートはパディング層の内部に位置し、パディング層は最も外側の指ストールの内部に位置する。
【００１８】
さらなる実施形態では、フロント・シェルと、バック・シェルとを含むスポーツ・グローブが開示され、親指ストールおよび４つの指ストールが、フロント・シェルとバック・シェルとの間に形成され、最も外側の指ストールが、２本の指を収容するようなサイズにされており、最も下のはと目を有する剛性のインサートが、最も外側の指ストールの内部に位置し、４つの指ストールを分離する３つの溝が、４つの指ストールから掌部を分離する想像上の境界線を画定し、インサートの最も下のはと目が、掌部に位置しない。
【００１９】
以下は図面の簡単な説明であり、これらは本明細書に開示される例示的な実施形態を図示する目的で提示され、同実施形態を限定することが目的ではない。
【図面の簡単な説明】
【００２０】
【図１】本開示のスポーツ・グローブの外観斜視図である。
【図２】本開示のスポーツ・グローブの切取内部図である。
【図３】本開示の部分的に分解されたスポーツ・グローブの斜視図である。
【図４】本開示で使用される指インサートの上面図である。
【図５】本開示で使用される指ストラップの上面図である。
【図６】先行技術グローブのさまざまな層の断面図である。
【図７】本開示のグローブのさまざまな層の断面図である。
【発明を実施するための形態】
【００２１】
本明細書に開示されるコンポーネント、プロセス、および装置のより完全な理解は、添付の図面を参照することによって得ることができる。これらの図面は、本開発を実証する都合および簡便さに基づいた概略的な表現に過ぎず、したがって、本開発のデバイスまたはコンポーネントの相対的なサイズおよび寸法を示すこと、および／または例示的な実施形態の範囲を定義もしくは限定することは意図していない。
【００２２】
以下の説明では、明確さのために特定の用語が使用されるが、これらの用語は、図面中で図示するための選択された実施形態の個々の構造を指すことのみを意図しており、本開示の範囲を定義または限定することを意図していない。図面および以下の説明においては、同様の数字表示が、同様機能のコンポーネントを指すことを理解されたい。
【００２３】
量に関連して使用される修飾語「約」は、明記された値を含み、コンテクストによって指示された意味を有する（たとえば、それは特定の量の測定値に関連付けられた少なくとも誤差の程度を含む）。範囲のコンテクストにおいて使用されるとき、修飾語「約」はまた、２つの端点の絶対値によって定義される範囲を表すようにみなすべきである。たとえば、範囲「約２から約４まで」は、範囲「２から４まで」も表す。
【００２４】
図１は、本開示のスポーツ・グローブのさまざまな部分を示す外観斜視図である。グローブ１０は、フロント・シェル２０、およびバック・シェル３０を有する。フロント・シェル２０は、紐で締めることにより、内側でさまざまな位置において、バック・シェル３０に接合される。シェル２０と３０とを接合することにより、グローブに必須の構成、具体的には、指部４０、親指部５０、および掌部６０を作り出す。指部４０と親指部５０との間に、ウェブ部７０が配置される。ウェブ部７０は、いくつかのやり方において作ることができる。ここに示すように、ウェブ部は、第１および第２の革製のウェブ要素７２および７４から構成されるものとして表され、ウェブ要素７２および７４を縫い合わせてＴ字形を形成する。このＴ字形の要素が、上部のウェブ紐７６によって指部４０および親指部５０に固定され、追加のウェブ紐７８がウェブ部を完成させる。別の実施形態（図示せず）では、第２のウェブ要素７４のみが存在する。Ｔ字形の上部を形成する上部のウェブ紐７６は、第２のウェブ要素を指部４０および親指部５０に固定し、ウェブ紐７８もまた存在する。
【００２５】
指部４０は、４つの指ストール４２、４４、４６、１００を含む。３つの指ストール４２、４４、４６は、内側の指ストールとみなしてよい。４つ目の指ストール１００は、最も外側の指ストール、または外側の指ストールとみなすことができる。４つの指ストールは、３つの溝９２、９４、９６によって分離されている。溝は、グローブ１０の上縁１２において始まり、内側に向かって延在する。３つの溝は、グローブの掌部６０において終結する。別の言い方をすれば、３つの溝の終端９３、９５、９７が、指部４０と掌部６０との間の想像上の境界線１４を画定しているとみなすことができる。外側の指ストール１００は、１本の指だけでなく、小指と薬指の両方を収容するようなサイズにされている（すなわち、十分に広い）という点において、３つの内側の指ストール４２、４４、４６とは異なる。４つの指ストールは、上部の指紐９０によって一緒に接合される。
【００２６】
下部の指紐８０および掌紐８２が、掌部６０に沿ってある。これらの２本の紐が一緒にヒンジ組付部（ｈｉｎｇｅ  ａｓｓｅｍｂｌｙ）８４を形成し、それにより競技者は、指部４０および親指部５０を互いに向けて曲げたり、捕球を包み込んでグローブ１０を閉じたりすることができる。加えて、親指紐８６および外側の指紐８８が、それぞれ親指部５０および外側の指ストール１００の上に見られる。
【００２７】
シェル２０および３０を一緒に接合することにより、掌部６０の下に開口７５もまた作り出す。この開口７５を通して、野球の競技中、野球競技者がグローブ１０を使用できるように手を挿入することができる。
【００２８】
図２は、スポーツ・グローブの切取内部図である。人の手がスポーツ・グローブの中に挿入されると、人の４本の指および１本の親指は、通常はそれぞれ、その個々の指ストールの中に収まる。図２に見られるように、人の指は、実際には完全にそれぞれの指ストールの中に伸びるのではないことを注記する。むしろ、人の手および指の大部分が、掌部６０にとどまり、指先のみが、想像上の境界線１４を越えて指部４０の中に伸びることがある。
【００２９】
掌部６０の内部に、指ストラップ１１０が位置する。指ストラップは、外側の指ストール１００の下に位置し、それを通して２本の指を収めるようなサイズにされている。親指部５０は、親指ストール５２を含む。
【００３０】
先に述べた通り、外側の指ストール１００は、２本の指を収めるようなサイズにされている。競技者は、最も外側の指ストールの中に２本の指があるときに、小指単独を使用してかけることができるよりも大きな力をかけて、グローブを閉じることができる。使用者は、最も外側の指ストール１００の中に２本の指を配置するとき、最も楽なやり方において、空いている指ストールの中に人差し指および中指を配置することができる。
【００３１】
図３は、本開示の部分的に分解されたスポーツ・グローブの斜視図である。中間シェル２２が、フロント・シェル２０とバック・シェル３０との間に位置する。一般に、フロント・シェル２０と中間シェル２２との間の空間は、パディングおよび他の構造に使用され、一方で中間シェル２２とバック・シェル３０との間の空間は、使用者の手が位置する場所である。指部４０、親指部５０、掌部６０、親指ストール５２、および指ストール４２、４４、４６、１００への参照は、これら２つの空間を区別するものではなく、野球グローブの構造のこの説明によって限定されるものとみなすべきでないことを注記する。
【００３２】
掌パディング２４が、高速球の衝撃から使用者の手を守るために掌部に位置する。掌パディングは、スポンジまたはスポンジ様の材料であってよい。インサート、または剛性の指インサート１２０が、外側の指パッドまたはパディング層１３０の内部に位置する。次いで、インサート１２０と外側の指パッド１３０との組付体が、フロント・シェル２０と中間シェル２２との間で外側の指ストール１００の中に挿入される。別の言い方をすれば、インサート１２０と外側の指パッド１３０との組付体は、外側の指ストール１００の内部、またはその内側に位置する。同様に、剛性の親指インサート１４０が、親指パディング１４２の間に挿入されて、親指部５０の中に挿入される。
【００３３】
図３で見られるように、インサート１２０は、４つのはと目１２２を有し、外側の指パッド１３０は、４つのはと目１３２を有し、グローブは、４つのはと目２２を有する。これらのはと目はすべて互いに一列に並び、それにより外側の指紐８８がはと目を通して巻かれて、これらのグローブ要素を適所に保持することができる。本開示が特定の位置におけるはと目に言及する際、これらのはと目のうちの任意のものを、その特定の位置にあるものとして、個別に、またはまとめて指しているとみなすべきである。
【００３４】
図４は、本開示の指インサート２００の上面図である。一般に、指インサート２００は、最も外側の指ストールの中に１本の指のみをはめ込むように設計されたグローブにおける別の場合よりも、短くなるサイズにされている。加えて、はと目は、グローブの上縁１２のより近くに移動される。これにより、インサート２００の最も下のはと目２１０は、掌部６０ではなく、指部４０に位置する結果となる。掌部６０の中への、インサート２００の貫通を減らすことにより、最も外側の指ストール１００の中の２本の指のために、より多くの空間を作り出す。
【００３５】
特定の実施形態では、掌部６０に最も近い最も下のはと目２１０は、掌部６０から（すなわち想像上の境界線１４から）約５ミリから約２５ミリ離れている。一定の実施形態では、最も下のはと目２１０と掌部６０との間の距離は、約１０ミリである。しかしながら、外側の指パッド１３０は、インサート２００そのものとは別個に、グローブの上縁１２から掌部６０の中に延在してよいことに留意されたい。
【００３６】
一般に、インサート２００には、４つのはと目２１０、２１２、２１４、２１６がある。上述したように、はと目はまた、グローブの上縁１２のより近くに移動する。実施形態では、最も上のはと目２１６は、グローブの上縁１２から最大でも５０ミリに位置する。４つのはと目の中心を通る軸線が、インサートの長さ２２０を画定する。インサートは、約７６ミリから約１７８ミリまでの長さ２２０を有してよい。特定の実施形態では、インサートは、約１０５ミリから約１１５ミリまでの長さを有する。長さに垂直の軸線が、インサートの幅２３０を画定する。インサートは、約１５ミリから約５０ミリまでの幅２３０を有してよい。特定の実施形態では、インサートは、約３０ミリから約３５ミリまでの最大幅を有する。
【００３７】
いくつかの特定の実施形態では、外側の指ストールの中に指１本だけ配置されるように意図される場合のインサートのサイズと比較して、全体で長さ約２３．８ミリ縮小するために、インサートの上端２０２が約９．５ミリ切り取られ、インサートの下端２０４が約１４．３ミリ切り取られる。他の特定の実施形態では、インサート２００そのものが掌部６０の中に（すなわち想像上の境界線１４を超えて）延在しないように、はと目がインサートに位置する。インサートのサイズおよび形状は、すべてのグローブサイズに対して一定であることが企図される。
【００３８】
いくつかの特定の実施形態では、指インサート１２０は掌部６０の中に延在せず、一方で親指インサート１４０は掌部６０の中に延在する。
【００３９】
図３に見られるように、野球グローブのサイズは、ウェブ部に沿ってグローブのカーブをなぞる、グローブの基部１８からグローブの上部までの長さ１６として、典型的に測定される。グローブに印字されている数字が、通常この側長（ｌｅｎｇｔｈ  ｍｅａｓｕｒｅｍｅｎｔ）を表す。たとえば、「１１  １／２インチパターン」とあるグローブは、１１と２分の１インチの長さを持つグローブである。グローブのサイズは、サイズ９（年少用）からサイズ１４（ソフトボール用）に及ぶ。本明細書で論じられる相対的なサイズおよび長さは、グローブのサイズに応じて変化することを理解されたい。
【００４０】
他の実施形態では、グローブ長１６対インサート長２２０の比は、２．４から２．９を含む２から３であり、特定の実施形態では約２．６である。
【００４１】
指インサート２００は、ポリエチレン、ポリプロピレン、および他の任意のプラスチック材料などの剛性の高分子材料から作られてよい。親指インサート１４０もまた同じように作ることができる。
【００４２】
図５は、本開示で使用される指ストラップ３００の上面図である。この指ストラップは、中間シェル２２とバック・シェル３０との間で外側の指ストール１００の下に位置する。指ストラップ３００は、基部３１０、および２つの紐部材３２０を含む。基部３１０は、典型的には中間シェル２２に縫い付けられるが、紐を通すために基部１０を突き抜けてあけられた２つのはと目３１２を有してよい。知られているように、また図示されてはいないが、基部の一部が適所に縫われ、次いで残りの基部および紐部材が折り返されてループを形成し、次いで紐部材が、グローブの外側に向けてはと目を貫通する。
【００４３】
基部３１０は、グローブのサイズに応じて、約５０ミリから約９０ミリまでの長さ３１４を有する。特定の実施形態では、サイズ１１．５のグローブに対し、基部は約７０ミリの長さを有する。紐部材３２０は、グローブのサイズに応じて、約９０ミリから約１６０ミリまでの長さ３２４を有する。特定の実施形態では、サイズ１１．５のグローブに対し、紐部材は少なくとも１２０ミリの長さ３２４を有する。指ストラップ３００によって作られる指用の開口のサイズは、紐部材を調節することによって変化する。次いで紐部材は、使用者がそのはまり具合をちょうどよく感じるところで、グローブの外側で互いに結ばれる。指ストラップ３００は、約１７０ミリから約２５０ミリまでの全長３０４を有してよい。
【００４４】
図６は、先行技術グローブ７００の、最も外側の指ストール７１０、および掌部７３０の断面図である。パディング７２０が、最も外側の指ストール７１０の中に挿入される。掌部７３０の中に延在し、やはり掌部７３０にある最も下のはと目７６２を備えるインサート７６０も見られる。指ストラップ７５０の基部７４０は、２本の指を快適に収容するのに十分には大きくない。インサート７６０が掌部７３０の中へと延在する深さもまた、最も外側の指ストール７１０の中に２本の指をはめ込むのを難しくしている。
【００４５】
図７は、本開示のグローブ８００の例示的な実施形態の、最も外側の指ストール８１０、および掌部８３０の断面図である。パディング８２０が、最も外側の指ストール８１０の中に挿入される。パディング８２０は、掌部８３０の中にわずかに延在する。剛性のインサート８６０が、パディング８２０の内側に位置する。剛性のインサート８６０は、掌部の中には延在せず、最も下のはと目８６２は指部にあり、すなわち掌部８３０にはない。これらの改変が、使用者の指をはめ込むのに利用できる空間を広げる。指ストラップ８５０の基部８４０の長さが、２本の指をより容易にはめ込むために伸ばされている。
【００４６】
例示的な実施形態を、好ましい実施形態に関して説明してきた。以上の詳細な説明を読解すれば、当然ながら、修正形態および改変形態が想起されるであろう。それらが添付の特許請求の範囲またはその均等物の範囲内である限り、例示的な実施形態は、そのようなすべての修正形態および改変形態を含むように解釈されるものとする。
【符号の説明】
【００４７】
１０  グローブ
１２  上縁
１４  想像上の境界線
１６  グローブ長
１８  基部
２０  フロント・シェル
２２  中間シェル、はと目
２４  掌パディング
３０  バック・シェル
４０  指部
４２  内側の指ストール
４４  内側の指ストール
４６  内側の指ストール
５０  親指部
５２  親指ストール
６０  掌部
７０  ウェブ部
７２  第１のウェブ要素
７４  第２のウェブ要素
７５  開口
７６  上部のウェブ紐
７８  追加のウェブ紐
８０  下部の指紐
８２  掌紐
８４  ヒンジ組付部
８６  親指紐
８８  外側の指紐
９０  上部の指紐
９２  溝
９３  終端
９４  溝
９５  終端
９６  溝
９７  終端
１００  外側の指ストール
１１０  指ストラップ
１２０  指インサート
１２２  はと目
１３０  指パッドまたはパディング層
１３２  はと目
１４０  親指インサート
１４２  親指パディング
２００  指インサート
２０２  インサートの上端
２０４  インサートの下端
２１０  はと目
２１２  はと目
２１４  はと目
２１６  はと目
２２０  インサート長
２３０  （インサートの）幅
３００  指ストラップ
３０４  （指ストラップの）全長
３１０  （指ストラップの）基部
３１２  はと目
３１４  （指ストラップの基部の）長さ
３２０  （指ストラップの）紐部材
３２４  （指ストラップの紐部材の）長さ
８００  グローブ
８１０  最も外側の指ストール
８２０  パディング
８３０  掌部
８４０  （指ストラップの）基部
８５０  指ストラップ
８６０  剛性のインサート
８６２  最も下のはと目
【図１】
2011078759.tif 000003
【図２】
2011078759.tif 000004
【図３】
2011078759.tif 000005
【図４】
2011078759.tif 000006
【図５】
2011078759.tif 000007
【図６】
2011078759.tif 000008
【図７】
2011078759.tif 000009
【外国語明細書】
2011078759.tif 000010
2011078759.tif 000011
2011078759.tif 000012
2011078759.tif 000013
2011078759.tif 000014
2011078759.tif 000015
2011078759.tif 000016
2011078759.tif 000017
2011078759.tif 000018
2011078759.tif 000019
2011078759.tif 000020
2011078759.tif 000021
2011078759.tif 000022
2011078759.tif 000023
【図１】
2011078759.tif 000024
【図２】
2011078759.tif 000025
【図３】
2011078759.tif 000026
【図４】
2011078759.tif 000027
【図５】
2011078759.tif 000028
【図６】
2011078759.tif 000029
【図７】
2011078759.tif 000030